(57)【要約】【課題】簡単に分解することができる携帯電子機器を提供することを目的とする。【解決手段】携帯電子機器であって、第１ケース及び第１ケースに接着剤により固定される第２ケースを有する筐体と、第１ケースに設けられた係合爪及び第２ケースに設けられかつ係合爪が係合する係合受け部と、を有する複数の係合部と、を備え、複数の係合部のうちの少なくとも一つの係合部は、係合爪を第１ケースの外周面に設けて、係合爪と係合受け部とが係合すると、筐体の外側に露出することで上記課題を解決する。【選択図】図７
2014086646.tif 000002
【特許請求の範囲】
【請求項１】
第１ケース及び前記第１ケースに接着剤により固定される第２ケースを有する筐体と、
前記第１ケースに設けられた係合爪及び前記第２ケースに設けられかつ前記係合爪が係合する係合受け部と、を有する複数の係合部と、を備え、
前記複数の係合部のうちの少なくとも一つの係合部は、前記係合爪を前記第１ケースの外周面に設けて、前記係合爪と前記係合受け部とが係合すると、前記筐体の外側に露出することを特徴とする携帯電子機器。
【請求項２】
前記係合部を覆って前記第１ケースと前記第２ケースとのうち一方に取り付けられる化粧部材を備えていることを特徴とする請求項１に記載の携帯電子機器。
【請求項３】
前記第１ケースの前記第２ケースに前記接着剤により固定される面と、前記第２ケースの前記第１ケースに前記接着剤により固定される面とのうちの少なくとも一方に設けられ、かつ前記第１ケースと前記第２ケースとを分解するための工具が侵入可能な切欠き部を備え、
前記複数の係合部のうちの前記係合爪が前記第１ケースの外周面に設けられた係合部は、他の係合部よりも前記切欠き部寄りに配置されていることを特徴とする請求項１又は２に記載の携帯電子機器。
【請求項４】
前記第２ケースに設けられた前記係合受け部は、前記第２ケースに連なる付け根部に、当該係合受け部を前記第２ケースから分離する工具を誘導する誘導部が設けられていることを特徴とする請求項１から３のいずれか一項に記載の携帯電子機器。
【請求項５】
前記第１ケースの外周面に設けられた前記係合爪の平面形状は、前記第１ケースと前記第２ケースとが重ねられる方向に直交する方向と、長手方向が平行な矩形状であることを特徴とする請求項１から４のいずれか一項に記載の携帯電子機器。
【発明の詳細な説明】
【技術分野】
【０００１】
本発明は、防水機能を備える携帯電子機器に関する。
【背景技術】
【０００２】
携帯電話機、ＰＨＳ、携帯音楽プレーヤー等の携帯電子機器の中には、防水機能を備える携帯電子機器がある。防水機能を備える携帯電子機器は、フロントケースとリアケース等の２つ以上のケースを連結して電子機器を内蔵する筐体とする場合、ケースとケースとの間に防水パッキン（パッキング）を配置し、ケースとケースとの間を水密構造とする（特許文献１参照）。
【先行技術文献】
【特許文献】
【０００３】
【特許文献１】特開平１０−２８４８５５号公報
【発明の概要】
【発明が解決しようとする課題】
【０００４】
ここで、上記の水密構造は、一方のケースに溝を形成し、その溝に防水パッキンを挿入している。しかしながら、溝に防水パッキンを挿入する水密構造は、細長い溝に防水パッキンを埋め込む作業が必要となり製造時の手間となる。この種の問題を解決するために、ケース同士を接着剤により固定することが提案されているが、この場合、ケース同士を分解し難くなる虞がある。
【０００５】
本発明は、上記の事情に鑑みてなされたものであって、簡単に分解することができる携帯電子機器を提供することを目的とする。
【課題を解決するための手段】
【０００６】
上述した課題を解決し、目的を達成するために、本発明に係る携帯電子機器は、第１ケース及び前記第１ケースに接着剤により固定される第２ケースを有する筐体と、前記第１ケースに設けられた係合爪及び前記第２ケースに設けられかつ前記係合爪が係合する係合受け部と、を有する複数の係合部と、を備え、前記複数の係合部のうちの少なくとも一つの係合部は、前記係合爪を前記第１ケースの外周面に設けて、前記係合爪と前記係合受け部とが係合すると、前記筐体の外側に露出することを特徴とする。
【０００７】
ここで、前記係合部を覆って前記第１ケースと前記第２ケースとのうち一方に取り付けられる化粧部材を備えていることが好ましい。
【０００８】
また、前記第１ケースの前記第２ケースに前記接着剤により固定される面と、前記第２ケースの前記第１ケースに前記接着剤により固定される面とのうちの少なくとも一方に設けられ、かつ前記第１ケースと前記第２ケースとを分解するための工具が侵入可能な切欠き部を備え、前記複数の係合部のうちの前記係合爪が前記第１ケースの外周面に設けられた係合部は、他の係合部よりも前記切欠き部寄りに配置されていることが好ましい。
【０００９】
また、前記第２ケースに設けられた前記係合受け部は、前記第２ケースに連なる付け根部に、当該係合受け部を前記第２ケースから分離する工具を誘導する誘導部が設けられていることが好ましい。
【００１０】
また、前記第１ケースの外周面に設けられた前記係合爪の平面形状は、前記第１ケースと前記第２ケースとが重ねられる方向に直交する方向と、長手方向が平行な矩形状であることが好ましい。
【発明の効果】
【００１１】
本発明に係る携帯電子機器は、筐体の第１ケースと第２ケースとを簡単に分解することができる、という効果を奏する。
【図面の簡単な説明】
【００１２】
【図１】図１は、実施形態に係る携帯電子機器の概略構成を示す正面側からみた斜視図である。
【図２】図２は、実施形態に係る携帯電子機器の概略構成を示す正面側からみた分解斜視図である。
【図３】図３は、図２に示す携帯電子機器の概略構成を背面側からみた分解斜視図である。
【図４】図４は、図２に示す携帯電子機器の概略構成を示す斜視図である。
【図５】図５は、図４中のＩＶ部を拡大して示す斜視図である。
【図６】図６は、図５のＶ―Ｖ線断面図である。
【図７】図７は、図５に示された携帯電子機器の筐体の側面図である。
【図８】図８は、図７に示された携帯電子機器の筐体を示す斜視図である。
【図９】図９は、図８に示された携帯電子機器の筐体のフロントケースとリアケースとを分解した斜視図である。
【図１０】図１０は、図７のＩＸ―ＩＸ線断面図である。
【図１１】図１１は、図１０中のＸ部を拡大して示す断面図である。
【図１２】図１２は、図１０中のＸＩ部を拡大して示す断面図である。
【図１３】図１３は、実施形態の変形例に係る携帯電子機器の要部の断面図である。
【図１４】図１４は、実施形態の変形例に係る携帯電子機器の筐体のフロントケースとリアケースとを分解した斜視図である。
【発明を実施するための形態】
【００１３】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器の一例としてＰＨＳ（Personal  Handy-phone  System）端末を取り上げるが、携帯電子機器はＰＨＳ端末に限定されるものではなく、例えば、携帯電話機、ＰＤＡ、ポータブルナビゲーション装置、ノートパソコン、ゲーム機等であってもよい。
【００１４】
［実施形態］
本発明の実施形態に係る携帯電子機器を、図面を参照して説明する。図１は、実施形態に係る携帯電子機器の概略構成を示す正面側からみた斜視図であり、図２は、実施形態に係る携帯電子機器の概略構成を示す正面側からみた分解斜視図であり、図３は、図２に示す携帯電子機器の概略構成を背面側からみた分解斜視図であり、図４は、図２に示す携帯電子機器の概略構成を示す斜視図である。実施形態に係る携帯電子機器１は、防水機能を有するＰＨＳ端末である。携帯電子機器１は、図１、図２及び図３に示すように、筐体２が互いに取り付けられるフロントケース２１とリアケース２２で構成された、所謂ストレート型のＰＨＳ端末である。ここで、本発明では、筐体２の長手方向が長さ方向であり、筐体２の幅方向が幅方向であり、長さ方向と幅方向との双方に直交する方向が厚さ方向である。
【００１５】
筐体２は、偏平な箱状に形成されている。筐体２は、図１、図２、図３及び図４に示すように、携帯電子機器１の正面側に配されるフロントケース２１（第１ケースに相当）と、携帯電子機器１の背面側に配されるリアケース２２（第２ケースに相当）とを備えている。フロントケース２１は、合成樹脂で構成され、枠状の枠状部２３と、箱状の箱状部２４（部品内蔵部に相当）とを一体に備えている。フロントケース２１は、箱状部２４の中央部が透光性の合成樹脂で構成され、他の部分が遮光性の合成樹脂で構成されている。フロントケース２１は、枠状部２３と箱状部２４とが前記長さ方向に並べられている。また、フロントケース２１は、枠状部２３の正面側に操作部カバー３０（化粧部材に相当）が取り付けられる。
【００１６】
リアケース２２は、合成樹脂で構成され、枠状の枠状部２５（電池内蔵部に相当）と、箱状の箱状部２６とを一体に備えている。リアケース２２は、枠状部２５と箱状部２６とが前記長さ方向に並べられている。また、リアケース２２は、枠状部２５の背面側に複数の電池カバー２７ａ，２７ｂが取り付けられる。電池カバー２７ａ，２７ｂは、実施形態では二つ設けられている。二つの電池カバー２７ａ，２７ｂは、リアケース２２の枠状部２５の背面に順に重ねられて、リアケース２２に取り付けられる。また、二つの電池カバー２７ａ，２７ｂのうちの外側に配される電池カバー２７ｂは、化粧部材に相当する。リアケース２２の枠状部２５の背面に直接重ねられる電池カバー２７ａと、枠状部２５との間は、水密構造となっている。これにより、リアケース２２は、枠状部２５と電池カバー２７ａとの間に形成される空間に外部から水が入ることを抑制でき、当該空間を防水空間とすることができる。リアケース２２の枠状部２５と電池カバー２７ａとの間の水密構造は、枠状部２５と電池カバー２７ａとの間にパッキン等のシール部材を配置している。
【００１７】
また、筐体２は、フロントケース２１の外縁部とリアケース２２の外縁部とが互いに対向して係合し、これらの間が水密構造となっている。これにより、筐体２は、フロントケース２１とリアケース２２との間に形成される空間に外部から水が入ることを抑制でき、当該空間を防水空間とすることができる。なお、フロントケース２１とリアケース２２との間の水密構造は、図６に示すように、リアケース２２の外縁部のフロントケース２１に対向する面２２ａ（接着剤により固定される面に相当）に設けられた溝３１と、フロントケース２１の外縁部のリアケース２２に対向する面２１ａ（接着剤により固定される面に相当）に設けられた凸部３２とを備えている。水密構造は、溝３１内に塗布された接着剤３３が、溝３１の内面と凸部３２の表面との間を水密に保つとともに、フロントケース２１とリアケース２２とを固定する。また、本実施形態では、筐体２は、フロントケース２１に設けられた係合爪２８と、リアケース２２に設けられかつ係合爪２８が係合する係合受け部２９と、を有する複数の係合部３５を備えている。複数の係合部３５は、筐体２の長さ方向に間隔をあけて配置されている。また、筐体２は、メンテナンスの際などに、フロントケース２１とリアケース２２とが分解される。このフロントケース２１とリアケース２２とを分解し易くする易解体構造については後述する。
【００１８】
また、携帯電子機器１は、図２及び図３に示すように、基体４と、操作パッド５と、電池６などを備えている。基体４と操作パッド５と電池６などは、筐体２に搭載される。基体４は、携帯電子機器１全体の動作をつかさどるものである。基体４は、ベース板４３と、画像を表示する表示装置４１（機能部品に相当）と、操作を受け付ける操作部４２と、各種の電子部品（機能部品に相当）を実装した基板４４（機能部品に相当）とを備えている。ベース板４３は、表示装置４１と操作部４２と基板４４やＰＨＳ端末として必要な各種機能部品（マイク、レシーバ、スピーカ、カメラなど）を固定している。表示装置４１は、フロントケース２１の箱状部２４の中央部の透明部分を透して、待ち受け画像、メニュー画像等の種々の画像を表示するものであり、例えば、液晶ディスプレイ（ＬＣＤ：Liquid  Crystal  Display）や、有機ＥＬ（Organic  Electro−Luminescence）パネル等を有する表示パネルである。操作部４２は、各種のスイッチ（図示せず）を有するものである。基板４４は、各種電子部品を実装した、所謂プリント配線板（ＰＷＢ：Printed Wiring Board）である。基体４は、操作部４２がフロントケース２１の枠状部２３内に搭載され、表示装置４１がフロントケース２１の箱状部２４内に搭載されて、筐体２の内部に配置される。
【００１９】
操作パッド５は、命令を入力するためのものである。操作パッド５は、操作される各種の操作キー５１と、操作キー５１を設けた防水シート５２とを備えている。操作パッド５は、操作キー５１が操作部カバー３０に設けられた通し孔３０ａを通して外部に露出されて、フロントケース２１に搭載される。操作キー５１は、操作部４２のスイッチと対応しており、操作を操作部４２の対応するスイッチに伝える。操作キー５１は、例えば、通話相手の電話番号やメール作成時等に文字を入力するための操作キー、表示装置４１に表示されるメニューの選択及び決定や画面のスクロール等を容易に実行するための方向及び決定キー等を含む。また、操作パッド５は、防水シート５２がフロントケース２１の枠状部２３と操作部カバー３０との間に配置されて、フロントケース２１の枠状部２３との間を水密構造とする。
【００２０】
電池６は、携帯電子機器１の電源として機能するものである。電池６は、リアケース２２の枠状部２５内に内蔵されて、リアケース２２に搭載される。電池６は、電池カバー２７ａにより覆われる。
【００２１】
次に、易解体構造について、図面を参照して説明する。図５は、図４中のＩＶ部を拡大して示す斜視図であり、図６は、図５のＶ―Ｖ線断面図であり、図７は、図５に示された携帯電子機器の筐体の側面図であり、図８は、図７に示された携帯電子機器の筐体を示す斜視図であり、図９は、図８に示された携帯電子機器の筐体のフロントケースとリアケースとを分解した斜視図であり、図１０は、図７のＩＸ―ＩＸ線断面図であり、図１１は、図１０中のＸ部を拡大して示す断面図であり、図１２は、図１０中のＸＩ部を拡大して示す断面図である。
【００２２】
易解体構造は、フロントケース２１とリアケース２２とを分解し易くしながらも基板４４に実装された電子部品等の機能部品を保護するための構造である。易解体構造は、切欠き部６１（図５及び図６に示す）と、フロントケース２１に設けられた立ち壁６２（図２及び図３に示す）と、前述した複数の係合部３５のうちのケース２１，２２の枠状部２３，２５に設けられた係合部３５（以下、符号３５ａで示す）とを備えている。
【００２３】
切欠き部６１は、図４及び図５に示すように、筐体２の角部に設けられている。本実施形態では、切欠き部６１は、ケース２１，２２の枠状部２３，２５の最も箱状部２４，２６から離れた側の角部に設けられている。切欠き部６１は、図５及び図６に示すように、リアケース２２の面２２ａに形成されている。切欠き部６１は、リアケース２２の面２２ａから凹に形成されているとともに、筐体２の外表面に開口している。切欠き部６１には、フロントケース２１とリアケース２２とを分解するための工具Ｔ（図５及び図６に破線で示す）が侵入可能である。また、切欠き部６１の近傍では、図６に示すように、筐体２の外表面から切欠き部６１の底６１ａに向う方向の延長線上に接着剤３３が設けられている。また、切欠き部６１は、電池カバー２７ｂがリアケース２２に取り付けられていると、電池カバー２７ｂに覆われる。
【００２４】
立ち壁６２は、フロントケース２１の箱状部２４に備えられている。立ち壁６２は、図２及び図３に示すように、箱状部２４の外縁部のうちの長辺側の外縁部からリアケース２２に向って立設している。立ち壁６２は、フロントケース２１とリアケース２２とが互いに取り付けられた際のフロントケース２１とリアケース２２との外表面における合わせ目６３よりも、リアケース２２側に突出している。このように、立ち壁６２は、合わせ目６３よりも、フロントケース２１とリアケース２２とのうちの部品内蔵部としての箱状部２４を備える側とは他方側としてのリアケース２２側に突出している。また、立ち壁６２は、フロントケース２１の箱状部２４の外表面よりも内側に配置されている。立ち壁６２は、フロントケース２１とリアケース２２とが互いに取り付けられると、リアケース２２の箱状部２６の外壁２６ａの内側に侵入する。本実施形態では、立ち壁６２は、フロントケース２１とリアケース２２とが互いに取り付けられると、リアケース２２の外壁２６ａの内側に重なる。また、本実施形態では、立ち壁６２は、先端に凸部３２を設けている。
【００２５】
係合部３５ａは、図７、図８、図９及び図１０に示すように、係合爪２８がフロントケース２１の枠状部２３の外周面２３ａに設けられている。係合爪２８は、外周面２３ａから幅方向外側に凸に形成されている。係合爪２８は、筐体２の側方からみた平面形状が、図７に示すように、筐体２の長さ方向（ケース２１，２２が重ねられる方向に直交する方向）と平行な矩形状に形成されている。また、係合爪２８は、図１１及び図１２に示すように、リアケース２２に近づくのにしたがって徐々に外周面２３ａに近づくように、幅方向と厚さ方向の双方に傾斜したテーパ面３６をリアケース２２側に設けている。また、係合爪２８は、幅方向と厚さ方向の双方に平行な垂直面３７をリアケース２２から離れた側に設けている。
【００２６】
また、係合部３５ａは、係合受け部２９がリアケース２２の枠状部２５の外壁を貫通した孔である。係合受け部２９の筐体２の側方からみた平面形状は、係合爪２８の平面形状と略等しい。係合部３５ａは、係合受け部２９内に係合爪２８が挿入されることで、係合爪２８が係合受け部２９に係合する。そして、係合部３５ａは、係合爪２８と係合受け部２９とが係合すると、係合爪２８及び係合受け部２９が筐体２の外側に露出する。こうして、携帯電子機器１は、複数の係合部３５のうちの少なくとも一つの係合部３５ａが、係合爪２８と係合受け部２９とが係合すると、筐体２の外側に露出する。また、係合部３５ａは、フロントケース２１に取り付けられる操作部カバー３０により覆われる。
【００２７】
複数の係合部３５のうちのケース２１，２２の箱状部２４，２６に設けられた係合部３５（以下、符号３５ｂで示す）は、図２及び図３などに示すように、係合爪２８がフロントケース２１に設けられた立ち壁６２の外周面に設けている。係合部３５ｂは、係合受け部２９がリアケース２２の箱状部２６の外壁２６ａの内面に設けられた凹みである。係合部３５ｂは、係合受け部２９内に係合爪２８が挿入されることで、係合爪２８が係合受け部２９に係合する。また、係合部３５ａの係合爪２８及び係合受け部２９がケース２１，２２の枠状部２３，２５に設けられていることで、複数の係合部３５のうちの係合部３５ａは、他の係合部３５ｂよりも切欠き部６１寄りに配置されている。
【００２８】
前述した携帯電子機器１は、以下のように組み立てられる。まず、基体４が、フロントケース２１に内蔵される。リアケース２２に対して相対的に移動するディスペンサの吐出口から接着剤３３が溝３１内に一定量ずつ吐出されて、接着剤３３が溝３１内に塗布される。その後、接着剤３３の硬化前に外縁部の面２１ａ，２２ａが互いに重なるように、フロントケース２１とリアケース２２とを互いに重ねて近づける。すると、係合部３５ａ，３５ｂの係合爪２８が係合受け部２９に係合するとともに、接着剤３３が硬化する前であるので、凸部３２が溝３１内に侵入して接着剤３３に接触する。そして、凸部３２は、接着剤３３内にも侵入して、接着剤３３を溝３１の内面に向けて押し付ける。その後、操作パッド５をフロントケース２１の枠状部２３に重ねて、操作部カバー３０をフロントケース２１に取り付ける。さらに、電池６をリアケース２２の枠状部２５内に内蔵して、電池カバー２７ａ，２７ｂをリアケース２２の枠状部２５に取り付ける。
【００２９】
そして、携帯電子機器１は、接着剤３３が硬化すると、接着剤３３が溝３１の内面と凸部３２の表面との双方に密に接触して、フロントケース２１とリアケース２２との間を水密に保つ。携帯電子機器１は、接着剤３３がフロントケース２１とリアケース２２との間に形成される空間に外部から水が入ることを抑制する。また、接着剤３３は、硬化すると、フロントケース２１の面２１ａとリアケース２２の面２２ａとを固定する。
【００３０】
また、前述した携帯電子機器１は、以下のようにフロントケース２１とリアケース２２とが分解される。フロントケース２１とリアケース２２とが分解される前に、電池カバー２７ｂがリアケース２２から取り外される。すると、切欠き部６１が露出する。そして、係合部３５ａの係合爪２８が、ペンチやニッパーなどの図示しない別工具により切断、除去される。そして、工具Ｔが切欠き部６１内に挿入され、工具Ｔが切欠き部６１内をこじるなどして、切欠き部６１の近傍の接着剤３３がフロントケース２１とリアケース２２のうちの少なくとも一方から剥離される。すると、切欠き部６１の近傍では、フロントケース２１とリアケース２２との間に隙間が生じ、当該隙間に工具Ｔが侵入している。そして、工具Ｔを、フロントケース２１とリアケース２２との間に侵入させたまま、箱状部２４，２６に向けて移動させる。すると、工具Ｔの移動に伴って、工具Ｔにより接着剤３３がフロントケース２１とリアケース２２のうちの少なくとも一方から徐々に剥離されて、フロントケース２１とリアケース２２との間の隙間が徐々に広がる。その後、工具Ｔが箱状部２４，２６に差し掛かって、フロントケース２１とリアケース２２との間の隙間が更に広がる。そして、フロントケース２１とリアケース２２との間の隙間をさらに広げて、フロントケース２１とリアケース２２とを分解させる。
【００３１】
実施形態に係る携帯電子機器１は、係合爪２８と係合受け部２９とを係合させてフロントケース２１とリアケース２２とが取り付けられると、係合部３５ａが筐体２の外側に露出する。これにより、携帯電子機器１は、フロントケース２１とリアケース２２とが接着剤３３により固定されていても、係合部３５ａが接着剤３３よりも筐体２の外側に配置される。したがって、携帯電子機器１は、まず、別工具により係合部３５ａの係合爪２８を切断でき、切欠き部６１に工具Ｔを挿入するなどして、フロントケース２１とリアケース２２とを分解することができる。よって、携帯電子機器１は、筐体２のフロントケース２１とリアケース２２とを簡単に分解することを可能とすることができる。
【００３２】
また、携帯電子機器１は、係合爪２８と係合受け部２９とを係合させてフロントケース２１とリアケース２２とが取り付けられると、係合部３５ａを覆う操作部カバー３０を備えている。これにより、携帯電子機器１は、係合部３５ａを筐体２の外側に露出させても係合部３５ａが操作部カバー３０に覆われるので、美観を損ねることを抑制することができる。
【００３３】
また、携帯電子機器１は、複数の係合部３５ａ，３５ｂのうち係合爪２８が外周面２３ａに設けられた係合部３５ａを他の係合部３５ｂよりも切欠き部６１寄りに配置している。これにより、携帯電子機器１は、最初にフロントケース２１とリアケース２２とに分離させる力を作用させる切欠き部６１の近傍の係合部３５ａの係合爪２８を確実に切断、除去できる。したがって、携帯電子機器１は、工具Ｔを切欠き部６１から箱状部２４，２６に徐々に近づけることで、フロントケース２１とリアケース２２とを徐々に分離させることができる。よって、携帯電子機器１は、筐体２のフロントケース２１とリアケース２２とをより簡単に分解することを可能とすることができる。
【００３４】
また、携帯電子機器１は、係合爪２８の平面形状が矩形状に形成されているので、係合爪２８の係合受け部２９に対する係り代を確保することができる。これにより、携帯電子機器１は、フロントケース２１とリアケース２２とを確実に取り付けることができ、取り付け後にこれらが不意に分離してしまうことを抑制できる。
【００３５】
また、携帯電子機器１は、係合部３５ａの係合受け部２９が孔であるので、係合部３５ａの係合爪２８及び係合受け部２９を極力筐体２の幅方向の外側に配置することができ、係合時にも係合部３５ａの係合爪２８を露出させることができる。これにより、携帯電子機器１は、別工具により係合部３５ａの係合爪２８を確実に切断することができ、筐体２のフロントケース２１とリアケース２２とをより簡単に分解することを可能とすることができる。
【００３６】
［変形例］
次に、本発明の実施形態の変形例に係る携帯電子機器を、図面を参照して説明する。図１３（ａ）は、実施形態の変形例に係る携帯電子機器の要部の断面図であり、図１３（ｂ）は、実施形態の変形例に係る携帯電子機器の他の要部の断面図であり、図１４は、実施形態の変形例に係る携帯電子機器の筐体のフロントケースとリアケースとを分解した斜視図である。なお、図１３及び図１４において、前述した実施形態と同一部分には、同一符号を付して説明を省略する。図１３及び図１４に示された変形例では、リアケース２２の枠状部２５に設けられた係合受け部２９は、リアケース２２の枠状部２５に連なる付け根部に係合爪２８を切断、除去する別工具を誘導する誘導部３８が設けられている。変形例では、誘導部３８は、係合受け部２９の幅を他の部分よりも狭くするスリットである。
【００３７】
図１３及び図１４に示された変形例の携帯電子機器１は、係合受け部２９の枠状部２５に連なる付け根部に、別工具を誘導する誘導部３８を設けている。これにより、携帯電子機器１は、ケース２１，２２を分解する際に、別工具が係合部３５ａの係合受け部２９の付け根部を容易に切断することができる。したがって、工具Ｔを切欠き部６１から箱状部２４，２６に向けて移動させる際に、係合受け部２９が工具Ｔの移動を妨げることを抑制することができる。よって、携帯電子機器１は、筐体２のフロントケース２１とリアケース２２とをより簡単に分解することを可能とすることができる。
【００３８】
なお、前述した変形例では、誘導部３８を前述したスリットで構成したが、本発明はこれに限定されることなく、別工具を係合受け部２９の付け根部に誘導できるのであれば、誘導部３８を種々の構成としても良い。
【００３９】
前述した実施形態等では、面２１ａ，２２ａのうちの一方の面２２ａは、切欠き部６１が形成されている。しかしながら、本発明では、面２１ａ，２２ａのうちの他方の面２１ａに、切欠き部６１が形成されても良く、双方の面２１ａ，２２ａは、切欠き部６１が形成されても良い。要するに、本発明では、面２１ａ，２２ａのうちの少なくとも一方は、切欠き部６１が形成されていれば良い。また、本発明では、リアケース２２の箱状部２６が基体４の基板４４などを内蔵しても良く、リアケース２２の箱状部２６は、立ち壁６２を備えても良い。本発明では、電池カバー２７ａが、係合部３５ａを覆っても良い。
【００４０】
また、前述した実施形態等では、フロントケース２１に係合爪２８を設けリアケース２２に係合受け部２９を設けているが、本発明では、リアケース２２に係合爪２８を設けフロントケース２１に係合受け部２９を設けても良い。また、前述した実施形態等では、係合部３５ａを枠状部２３，２５に設けているが、複数の係合部３５ａ，３５ｂのうちの最も切欠き部６１寄りに係合部３５ａを設けて、他を係合部３５ｂとしても良い。
【００４１】
なお、本発明は上記実施形態に限定されるものではない。即ち、本発明の骨子を逸脱しない範囲で種々変形して実施することができる。
【符号の説明】
【００４２】
１  携帯電子機器
２  筐体
２１  フロントケース（第１ケース）
２２  リアケース（第２ケース）
２１ａ，２２ａ  面
２７ｂ  電池カバー（化粧部材）
２８  係合爪
２９  係合受け部
３０  操作部カバー（化粧部材）
３３  接着剤
３５，３５ａ，３５ｂ  係合部
３８  誘導部
６１  切欠き部
Ｔ  工具
【図１】
2014086646.tif 000003
【図２】
2014086646.tif 000004
【図３】
2014086646.tif 000005
【図４】
2014086646.tif 000006
【図５】
2014086646.tif 000007
【図６】
2014086646.tif 000008
【図７】
2014086646.tif 000009
【図８】
2014086646.tif 000010
【図９】
2014086646.tif 000011
【図１０】
2014086646.tif 000012
【図１１】
2014086646.tif 000013
【図１２】
2014086646.tif 000014
【図１３】
2014086646.tif 000015
【図１４】
2014086646.tif 000016